(57)【要約】【構成】ねじれ振動ダンパー装置１０はハブ１２、リング１４、およびハブ１２の外面２６とリング１４の内面３２との間に圧嵌めされたゴム部材１６を有する。ＴＶＤの構成後ハブの外面およびリングの内面の横断面形状は２つの凹形円弧または凸形円弧からなり、これらの半径については、横断面間隔が中心から側部にかけて大きくなるように設定する。このように横断面間隔が変化するため、ゴム部材１６に蓄積する主ひずみが小さくなり、ねじれ振動ダンパー装置１０の寿命が改善する。本発明のこの設計の場合、各部材が自動的にアライメントするため装置を適正に構成することができる。【選択図】図３
2015516059.tif 000002
【特許請求の範囲】
【請求項１】
回転部材に取り付けられ、外周面を有するハブ、
前記ハブを取り囲みかつこれから離間し、環状の内面を有するリング、および
前記外周面と前記環状の内面との間に圧縮挿入されたゴム体からなり、
前記内周面が凹形断面を有するとともに、第１半径をもつ第１円弧を形成し、そして
前記環状の内面が凹形断面を有するとともに、第２半径をもつ第２円弧を形成し、
前記第１半径が前記第２半径よりも小さいことを特徴とするねじれ振動ダンパー装置。
【請求項２】
前記の挿入されるゴム体の非圧縮状態の厚さが、前記振動ダンパー装置の中心において前記外周面と前記環状の内面との間の距離の１２０％〜１５０％程度である請求項１に記載のねじれ振動ダンパー装置。
【請求項３】
回転部材に取り付けられ、外周面を有するハブ、
前記ハブを取り囲みかつこれから離間し、環状の内面を有するリング、および
前記外周面と前記環状の内面との間に圧縮挿入されたゴム体からなり、
前記内周面が凸形断面を有するとともに、第１半径をもつ第１円弧を形成し、そして
前記環状の内面が凸形断面を有するとともに、第２半径をもつ第２円弧を形成し、
前記第１半径が前記第２半径よりも大きいことを特徴とするねじれ振動ダンパー装置。
【請求項４】
前記の挿入されるゴム体の非圧縮状態の厚さが、前記振動ダンパー装置の中心において前記外周面と前記環状の内面との間の距離の１２０％〜１５０％程度である請求項３に記載のねじれ振動ダンパー装置。
【発明の詳細な説明】
【技術分野】
【０００１】
ねじれ振動ダンパー装置（ＴＶＤ）は内燃（ＩＣ）によって駆動される動力伝達装置および動力伝達経路に内燃機関の作用によって回転部材に伝達されるねじれ振動を抑えるために広く利用されている。これらシステムのねじれ振動の自然周波数が回転部材の自然周波数と一致している場合、発生する振動の振幅はかなりの振幅になる（共鳴として知られている現象）。これら振動を緩和しないと、回転部材に取り付けられている付属装置が損傷する潜在的な恐れがある。さらに、これら振動は回転部材の疲労故障を誘起する原因にもなる。
【背景技術】
【０００２】
ＴＶＤの場合、回転部材のねじれ振動を二段階で（in two ways）抑制する。第１段では、吸収作用を通じて、ＴＶＤが振動振幅ピークを２つの別な（比較的小さい）ピークに分割する。第２段では、減衰作用を通じて、ＴＶＤがシステムに存在する運動エネルギーの一部を熱に変換し、この熱を大気に放出する。この結果、回転部材の重量が最適化され、回転部材に取り付けられた付属装置の振動が比較的小さくなる。
【０００３】
最も簡単なＴＶＤの場合、３つの部材、即ちＴＶＤを回転部材に剛性接続する構造用ブラケット（ハブ）、能動的な慣性部材（リング）およびＴＶＤに対するバネダッシュポット（ｓｐｒｉｎｇ−ｄａｓｈｐｏｔ）システムになるエラストマー部材（ゴム）からなる。ハブおよびリングを個別に製造してから、ハブとリングとの間に存在する間隔（横断面間隔）にゴムを挿入する。ゴムが圧縮され、リングおよびハブの金属表面間に圧力が作用し、構成体を所定の位置に保持する。このようにして得られる構成体は、この構成に用いられるプロセスに因んで挿入形ＴＶＤとして知られている。
【０００４】
ＴＶＤの作動時、リングはハブに対して前後に角度をもって運動し、この運動時にゴムにせん断ひずみを与える。このせん断ひずみの周波数が必要な吸収作用を担保し（provides）、そしてこのせん断ひずみの大きさが必要なダンパー作用を担保する（provides）。
【０００５】
ゴムの半径方向横断面は、ハブの外面とリングの内面との間にある領域を構成する横断面間隔によって定まる。一部のＴＶＤの場合、外径に内向きか外向きの凸部（ｈｕｍｐ）を有する。波形形状などのその他のより複雑な横断面間隔構成も利用されている。ゴムをこの横断面間隔に従って構成すると、圧縮時にＴＶＤの疲労寿命に悪影響を与える主ひずみが発生する。一般には、線形横断面間隔形状（linear configuration）を採用するとゴム内の主ひずみが最小化すると考えられている。
【０００６】
上記のいずれの場合も、ハブの外面とリングの内面との間の距離は横断面全体を通して一定のままである。換言するならば、ハブの外面とリングの内面は相互に平行である。
【発明の概要】
【０００７】
本発明は、ゴムに蓄積する主ひずみはハブの外面とリングの内面との間の距離を変更することによって抑制できるという技術思想（realization）を前提にする。これら両面はいずれも相互に対して可変な凹度数（concave）または凸度数（convex）の形状をもち、これら面の半径は同一でないことを意味する。この結果、ハブ外面はリング内面に対して平行でなくなる。
【０００８】
これら表面が凹面の場合、ハブの外面を構成する円弧の半径は、リングの内面を構成する円弧の半径より小さくなる。同様に、これら表面が凸面の場合、ハブの外面を構成する円弧の半径は、リングの内面を構成する円弧の半径よりも大きくなる。このように、横断面間隔は一定ではなく、外形の中心からの距離に応じて比例変化する。
【０００９】
このためゴムに蓄積する主ひずみが減り、ゴムの流れに抵抗する圧力が小さくなるため挿入作用が簡単になり、ダンパー装置の疲労寿命が改善する。ゴムの容量が少し大きくなることも別な改善点になる。ゴムの動力放出能力（(power dissipation capacity)ＴＶＤの疲労寿命の別な尺度である）がダンパー装置に存在するゴムの容量に直接比例するからである。さらにこの設計の場合、ハブ外面とリング内面の球形内球形構成（ｓｐｈｅｒｅ−ｗｉｔｈｉｎ−ｓｐｈｅｒｅ）を取るため、センタリング作用が自動的に生じる。
【００１０】
本発明の目的および作用効果については、以下の詳細な説明および添付図面から明らかになるはずである。
【図面の簡単な説明】
【００１１】
【図１】本発明に従って構成した振動ダンパー装置の横断面図である。
【図２】本発明の凹形横断面を示す拡大横断面概略図である。
【図３】本発明の凸形横断面を示す拡大横断面概略図である。
【発明を実施するための形態】
【００１２】
図１に示すように、本発明はねじれ振動ダンパー装置（ＴＶＤ）１０を提供するものである。図１はＴＶＤの比較的包括的な設計を示す図である。多くの異なる設計も可能であるが、本発明のＴＶＤ１０の場合いずれも構造用ブラケット（ハブ）１２は、能動的な慣性部材（active inertial member）（リング）１４、およびエラストマー部材（ゴム）１６を有する。図示のように、ハブ１２は本システムの回転部材、代表的には内燃機関の回転部材に取り付ける。ハブ１２は、ハブ１２の中心部分２４と外周面２６との間に延在するスポーク２２またはウェブを有する。
【００１３】
図示のリング１４は蛇行ベルトを駆動し、従って水ポンプやオルタネーターなどの各種の付属装置を駆動する凹部を形成したベルトガイド３０を有する。リング１４はさらにハブ１２の外周面２６に対向する環状内面（inner annular surface）３２を有する。ゴム１６は外周面２６と環状内面３２との間の間隔（gap(profile)）に存在する。この横断面間隔は半径方向厚さが３ｍｍ〜１０ｍｍ程度であり、また軸方向幅が１０ｍｍ〜１００ｍｍ程度であり、かつ外側部分（outer side portions）３６、３８および中心部分４０を有する。ゴム１６はストリップかリングであればよい。ゴム１６は吸振器などに利用されるブチルゴムなどの任意のエラストマー系部材から形成することができる。挿入前のゴムの厚さは横断面間隔の中心厚さの１２０％〜１５０％程度であればよい。
【００１４】
図２に示すように、ハブの外周面およびリング１４の環状の内面はいずれも凹形円弧の形を取る。各円弧の半径は図示のようにＲ１およびＲ２である。半径Ｒ１が半径Ｒ２よりも小さいため、外周面２６に形成する円弧の半径はリング１４の環状の内面３２に形成する円弧の半径よりも大きい。従って、これら表面２６、３２間の距離は横断面間で可変である。側部３６、３８における横断面間隔の厚さは中心部４０の横断面よりも厚い。ここでも同様に、例えば、側部における横断面間隔の厚さは２ｍｍ〜１１ｍｍで、中心部の間隔は３ｍｍ〜１０ｍｍである。
【００１５】
図３に示すように、ハブの外周面およびリング１４の環状の内面はいずれも凸形円弧の形を取る。各円弧の半径は図示のようにＲ１およびＲ２である。半径Ｒ１が半径Ｒ２よりも大きいため、外周面２６に形成する円弧の半径はリング１４の環状の内面３２に形成する円弧の半径よりも大きい。従って、これら表面２６、３２間の距離は横断面間で可変である。側部３６、３８における横断面間隔の厚さは中心部４０の横断面間隔よりも厚い。ここでも同様に、例えば、側部における横断面間隔の厚さは２ｍｍ〜１１ｍｍで、中心部の間隔は３ｍｍ〜１０ｍｍである。
【００１６】
本発明のＴＶＤを構成するためには、リング１４およびハブ１２を固定具（in a fixture）に置き、ガイドを使用してエラストマー部材１６をこれらの間の間隔に強制挿入する。全体として、エラストマー部材１６は横断面が均一であるため、一旦挿入されると、横断面間隔（profile）４０の中心部が横断面間隔の側部３６、３８よりも大きな圧縮作用を受ける。この圧縮作用によって、接着剤を使用しなくても、ダンパー装置が所定位置に保持される。ゴムだけでなくその組成の実際の寸法はＴＶＤの設計特性に応じて可変である。
【００１７】
この構造には多くの異なる作用効果がある。特に、ゴムに蓄積する局所的な主ひずみ（localized principal-strain buildup in）が小さくなるため、ＴＶＤの実効寿命が延びる。この設計の場合、ゴムの除去率の高低（rubber high-low rejections）を原因とする製造上のスクラップも減少する。また、上記表面３２、２６が円弧を形成しているため、ＴＶＤのセンタリングが自動的に生じる。
【００１８】
以上、本発明を実施するための好ましい方法について説明してきたが、本発明自体は特許請求の範囲の記載によってのみ定義されるものである。
【符号の説明】
【００１９】
１０：ねじれ振動ダンパー装置（ＴＶＤ）
１２：構造用ブラケット（ハブ）
１４：慣性部材（リング）
１６：エラストマー部材（ゴム）
２２：スポーク
２４，４０：中心部分
２６：外周面
３０：ベルトガイド
３２：環状内面
Ｒ１，Ｒ２：半径
【図１】
2015516059.tif 000003
【図２】
2015516059.tif 000004
【図３】
2015516059.tif 000005
【国際調査報告】
2015516059.tif 000006
2015516059.tif 000007
2015516059.tif 000008